(57)【要約】【課題】狭い盤内でも容易に対象とするケーブルに対しマーキングをすることを可能とする。【解決手段】一実施形態によれば、ケーブルマーキング装置は、開閉可能であり、対象とするケーブルを包持する包持部と、マーキング剤を有するマーキング部材を供給するマーキング部材供給部と、包持部により包持されたケーブルに対し、マーキング部材のマーキング剤によりマーキングを行うマーキング部と、を備える。【選択図】図１
2020004660.tif 000002
【特許請求の範囲】
【請求項１】
開閉可能であり、対象とするケーブルを包持する包持部と、
マーキング剤を有するマーキング部材を供給するマーキング部材供給部と、
前記包持部により包持された前記ケーブルに対し、前記マーキング部材のマーキング剤によりマーキングを行うマーキング部と、
を備える、ケーブルマーキング装置。
【請求項２】
前記マーキング部は、前記ケーブルに対し前記マーキング部材を押圧する押圧部を含み、前記押圧部により前記ケーブルに対しマーキング剤が塗布される、請求項１に記載のケーブルマーキング装置。
【請求項３】
前記包持部を開閉させる開閉部をさらに備え、
前記開閉部にて前記包持部を開いた状態で、前記包持部の内部に前記ケーブルを配置し、その後に前記開閉部にて前記包持部を閉じた状態で前記押圧部にて前記ケーブルの外周面を押圧して前記ケーブルにマーキングを行う、請求項２に記載のケーブルマーキング装置。
【請求項４】
前記包持部を開閉させる開閉部をさらに備え、
前記包持部が閉じている状態で当該包持部内の前記ケーブルを前記押圧部の方向に移動させると、前記包持部は、前記押圧部にて前記ケーブルの外周面に接触しながら開き、前記押圧部が接触した前記ケーブルの外周面に前記マーキング剤が塗布される、請求項２に記載のケーブルマーキング装置。
【請求項５】
前記マーキング部材は、前記マーキング剤として前記ケーブルに転写される転写剤を有する転写テープであり、
前記マーキング部剤供給部は、転写テープ供給リールであり、
前記転写テープ供給リールと連動して動作し、前記転写剤を前記ケーブルに転写済の前記転写テープを回収する転写テープ回収リールをさらに備え、
前記転写テープは、前記転写テープ供給リールから、前記マーキング部に供給され、前記マーキング部において前記ケーブルに前記転写剤を転写してマーキングをし、マーキング後の前記転写テープが前記転写テープ回収リールに回収される、請求項１乃至請求項４のいずれかに記載のケーブルマーキング装置。
【請求項６】
前記マーキング部材は、交換可能である、請求項１乃至請求項５のいずれかに記載のケーブルマーキング装置。
【請求項７】
開閉可能であり、対象とするケーブルを包持する包持部と、
液体のマーキング剤を供給するマーキング材供給部と、
前記包持部により包持された前記ケーブルに対し、前記マーキング剤によりマーキングを行うマーキング部と、
を備える、ケーブルマーキング装置。
【請求項８】
前記マーキング部は、前記ケーブルに対し押圧する押圧部を含み、前記押圧部により前記ケーブルに対し前記マーキング剤を塗布する、請求項７に記載のケーブルマーキング装置。
【発明の詳細な説明】
【技術分野】
【０００１】
本発明の実施形態は、ケーブルマーキング装置に関する。
【背景技術】
【０００２】
既に敷設されたケーブルの配置換えや撤去の際に、対象とするケーブルを途中の位置で切断したり、離線したりすることがある。このような場合に、切断等するケーブルをそれ以外のケーブルから正しく識別できるよう、予め敷設時にケーブル毎にマーキングをすることがあった。しかし、敷設時に必ずしもマーキングがなされていないことがあり、そのような場合は大型の印字装置をマーキングしようとするケーブルの傍に置き、印字装置にケーブルを固定して一本ずつ印字するか、或いは、対象とするケーブルに色のついた絶縁テープを巻くことで識別できるようにしていた。
【０００３】
しかしながら、敷設されたケーブルの配置換えや撤去の作業は、狭い盤内で行われることがあり、そのような場所では大型の印字装置をケーブルの傍に置くようなことはできず、また、絶縁テープをしっかり巻く作業というものは大変時間と手間のかかるものであった。
【先行技術文献】
【特許文献】
【０００４】
【特許文献１】特開２００１−２２９７５４号公報
【特許文献２】特開２００９−１９９９１９号公報
【発明の概要】
【発明が解決しようとする課題】
【０００５】
本発明が解決しようとする課題は、狭い盤内でも容易に対象とするケーブルに対しマーキングをすることを可能とする、ケーブルマーキング装置を提供することにある。
【課題を解決するための手段】
【０００６】
一実施形態によれば、ケーブルマーキング装置は、開閉可能であり、対象とするケーブルを包持する包持部と、マーキング剤を有するマーキング部材を供給するマーキング部材供給部と、包持部により包持されたケーブルに対し、マーキング部材のマーキング剤によりマーキングを行うマーキング部と、を備える。
【図面の簡単な説明】
【０００７】
【図１】一実施形態に係るケーブルマーキング装置の一例を示す図。
【図２】ケーブルマーキング装置のケーブルを取り込む動作の一例を示す図。
【図３】ケーブルマーキング装置のマーキングの動作の一例を示す図。
【図４】ケーブルマーキング装置のマーキング後の状態の一例を示す図。
【図５】ケーブルマーキング装置によりマーキングされたケーブルの一例を示す図。
【図６】変形例に係るケーブルマーキング装置の一例を示す図。
【図７】変形例に係るケーブルマーキング装置の一例を示す図。
【図８】変形例に係るケーブルマーキング装置の一例を示す図。
【図９】変形例に係るケーブルマーキング装置の一例を示す図。
【発明を実施するための形態】
【０００８】
以下、図面を参照して、本発明の実施形態について説明する。本実施形態は、本発明を限定するものではない。
【０００９】
図１は、一実施形態に係るケーブルマーキング装置を示す図である。この図１は、ケーブルマーキング装置１の一例を示すものであり、例えば、上面（又は側面）を透視し、中が見えるように示したものである。ケーブルマーキング装置１は、筐体１０を備える。
【００１０】
筐体１０には、支持部１２と、包持部１４と、押圧部１６と、開閉部１８と、バネ２０と、転写テープ供給リール２２と、転写テープ回収リール２４と、を備える。筐体１０において、上記の各構成要素と対になるように、支持部１３と、包持部１５と、押圧部１７と、開閉部１９と、バネ２１と、転写テープ供給リール２３と、転写テープ回収リール２５と、をさらに備える。
【００１１】
筐体１０は、ケーブルマーキング装置１の本体部である。筐体１０は、開閉不可の構造でもよいし、転写テープ供給リール２２、２３等が取り外せるように、開閉可能な構造でもよい。筐体１０は、例えば、プラスチック等の高い絶縁性を有する素材で形成されてもよく、この場合、感電等の事故を防止できる。
【００１２】
支持部１２、１３は、筐体１０の一側面から包持部１４、１５まで延びており、包持部１４、１５全体を筐体１０に固定する。支持部１２、１３の内側に沿って、筐体１０から転写テープ２６Ａ、２７Ａが供給される。転写済テープ２６Ｂ、２７Ｂは、供給される転写テープ２６Ａ、２７Ａの転写面に接触しないように、支持部１２、１３に沿って筐体１０へと回収される。図１の例では、転写済テープ２６Ｂ、２７Ｂが支持部１２、１３の内側を介して筐体１０へと回収されるが、上述したようにこの限りではなく、転写テープ２６Ａ、２７Ａの転写面に接触しないように回収されるような機構であればよい。
【００１３】
包持部１４、１５は、ケーブルへマーキング剤を塗布する。マーキング剤は、例えば、マーキング部材である転写テープ２６Ａ、２７Ａに備えられ、マーキング対象に塗布される転写剤であり、この場合、包持部１４、１５において、ケーブルに転写テープ２６Ａ、２７Ａの転写面に塗布されている転写剤を転写することによりマーキングが実行される。転写剤は、例えば、転写塗膜である。本明細書において、「包持」とは、包持部１４、１５の内側の隙間の中にケーブルを留めることを指し、包持部１４、１５の内周面にケーブルの外周面が接触してもよいし、接触していなくてもよい。
【００１４】
この包持部１４、１５は、マーキング対象となるケーブルをその内部に取り込む開口としても動作する、押圧部１６、１７を備える。包持部１４、１５は、ケーブルをその内部に包持することが可能な構成にすることにより、以下の動作を行い、ケーブルにマーキングを行う。包持部１４、１５は、例えば、シリコーン等の高い絶縁性と柔軟性を有する素材を用いることもできる。この場合、万が一の感電等の事故を防ぐことができるとともに、ケーブルの挿入等をスムーズに行うことができる。
【００１５】
押圧部１６、１７は、包持部１４、１５に備えられ、包持部１４、１５の内部へマーキング対象となるケーブルを取り込む。例えば、押圧部１６、１７は、通常時において閉じられており、ユーザの操作により開く。開いたタイミングで、ケーブルが包持部１４、１５の内部へと取り込まれ、包持される。押圧部１６、１７が閉じられると、包持部１４、１５の内側でケーブルが押しつけられることにより、転写テープがケーブルに転写されるとともに、ケーブルから受ける圧力が所定の圧力を超えると、押圧部１６、１７は徐々に開きはじめ、ケーブルが押圧部１６、１７に押圧され転写テープが転写されるとともに包持部１４、１５の内側から外側へと移動する。
【００１６】
包持部１４、１５及び押圧部１６、１７を備える部分をマーキング部とする。マーキング部は、包持部１４、１５によりケーブルを包持し、押圧部１６、１７にケーブルを押圧することにより、ケーブルにマーキングを行う。
【００１７】
開閉部１８、１９は、押圧部１６、１７の開閉を行う。開閉部１８、１９は、例えば筐体１０の一側面の接続部１８Ａ、１９Ａに移動自在に取り付けられている。開閉部１８、１９の一端側には押圧部１６、１７が接続され、開閉部１８、１９の他端側にはバネ２０、２１が取り付けられている。接続部１８Ａ、１９Ａは、開閉部１８、１９の支点であり、開閉部１８、１９の一端側は作用点である。ユーザが開閉部１８、１９の他端側を操作すると、その操作方向に応じて、開閉部１８、１９の一端側に接続された押圧部１６、１７が開閉される。なお、開閉部１８、１９の一部は、筐体１０の内部に収納されてもよい。
【００１８】
バネ２０、２１は、ユーザが開閉部１８、１９を操作していない場合には、開閉部１８、１９の他端側を図１の上下方向に付勢する。これにより、押圧部１６、１７は閉じる方向に移動する。このバネ２０、２１は、例えば、図１に示すように、筐体１０の一側面から外側方向に向けて配置されており、バネ２０、２１の先端部に開閉部１８、１９の他端部が取り付けられている。開閉部１８、１９は、ユーザが他端部を操作していない状態では、接続部１８Ａ、１９Ａを支点として、てこの原理により押圧部１６、１７を閉じた状態で保持する。開閉部１８、１９の他端側の操作点である力点と、支点である接続部１８Ａ、１９Ａと、作用点である押圧部１６、１７との接続点との距離を、図１のようにすることにより、ユーザが開閉部１８、１９の他端部を操作する距離および力を小さく保ちつつ、押圧部１６、１７を大きく開くことが可能となる。
【００１９】
転写テープ供給リール２２、２３及び転写テープ回収リール２４、２５は、筐体１０の内部に備えられる。リール２２、２４は、例えば、互いに噛み合う歯車を備え、協働して動作する。リール２３、２５についても同様である。なお、歯車には限られず、２つのリールが協働して動作する機構を備えていればよい。
【００２０】
転写テープ供給リール２２、２３は、マーキング部材である転写テープ２６Ａ、２７Ａを押圧部１６、１７へと供給する。転写テープ回収リール２４、２５は、転写剤がケーブルにマーキングされた後の転写済テープ２６Ｂ、２７Ｂを回収する。これらは上述したように協働して動作し、転写テープ供給リール２２、２３から供給したテープと同一の長さのテープを転写テープ回収リール２４、２５が巻き取る。同一の長さとは、厳密に同一であることを示すのではなく、テープのたるみ、延び等により完全に同じ長さではない場合を含む。
【００２１】
転写テープ供給リール２２、２３が逆回転、すなわち、転写済のテープが包持部１４、１５内に戻るのを防ぐために、歯止め２８、２９が備えられていてもよい。歯止め２８、２９は、転写テープ供給リール２２、２３が順回転することを妨げないが、逆回転を防止する。例えば、歯止め２８は、転写テープ供給リール２２が時計回りに回転している場合には、図１の場所から、転写テープ供給リール２２の回転動作に合わせて反時計回りに若干動き、転写テープ供給リール２２の回転が停止すると、元の位置に復帰する。一方、転写テープ供給リール２２が反時計回りに回転する場合には、歯止め２８は固定されたままであり、転写テープ供給リール２２の逆回転が防止される。歯止め２９についても、転写テープ供給リール２３及び転写テープ回収リール２５に対して同様の動作をする。
【００２２】
次に、本実施形態に係るケーブルマーキング装置１の動作について、図２〜図５を用いて説明する。図２（ａ）は、ケーブルマーキング装置１にケーブル２を包持するタイミングにおける動作を示す図である。ユーザは、開閉部１８、１９の他端部を、図示の矢印で示すように、筐体１０の外側から、筐体１０の方へと押圧する。これにより、包持部１４、１５の押圧部１６、１７が開く。ユーザは、開いた押圧部１６、１７からケーブル２が包持部１４、１５の内側へと収納されるように筐体１０をケーブル２の方向に移動させる。
【００２３】
続いて、図２（ｂ）に示すように、ケーブル２を包持部１４、１５の内部へと収納し、包持した後、ユーザが開閉部１８、１９の他端部に加えている力を緩めると、押圧部１６、１７が閉じる。このタイミングでは、バネ２０、２１が復元力により伸長して開閉部１８、１９の他端部を上下に押圧することにより、押圧部１６、１７がてこの原理により閉じる動作を行う。
【００２４】
図３（ａ）は、ケーブルマーキング装置１がケーブル２へマーキングする動作の導入部分を示す図である。ユーザは、ケーブル２をケーブルマーキング装置１内へと包持した後、筐体１０を右側に引っ張る。これにより、包持部１４、１５の押圧部１６、１７の間にケーブル２が押し込まれる。より具体的には、図３（ａ）において右側へと筐体１０を引っ張ると、ケーブル２が押圧部１６、１７の外周面に押し当てられ、押圧部１６、１７の外周面に配置されている転写テープ２６Ａ、２７Ａの転写剤がケーブル２の外周面に転写され、マーキングが行われる。
【００２５】
図３（ｂ）は、ケーブル２の外周面に転写を行っている最中の状態を示す図である。筐体１０を右側に引っ張ると、ケーブル２は押圧部１６、１７の間に押し込まれるような力が加えられ、押圧部１６、１７は、開きはじめる。この際、バネ２０、２１は、その復元力により、開閉部１８、１９の他端側を上下方向に移動させ、この結果、開閉部１８、１９の一端側では押圧部１６、１７を閉じる方向へと力が加えられる。この押圧部１６、１７を閉じる力により、押圧部１６、１７がケーブル２の外周面に押しつけられ、転写テープ２６Ａ、２７Ａから、転写剤がケーブル２へと転写され、マーキングが行われる。
【００２６】
このように、押圧部１６、１７には、バネ２０、２１により、ケーブル２へと転写剤が転写されるような圧力、及び、筐体１０を引っ張ることによりケーブル２を押圧部１６、１７から外側に押し出す圧力が加えられる。これらの圧力は、例えば、バネ２０、２１のバネ係数を変更したり、開閉部１８、１９の支点となる接続部１８Ａ、１９Ａの位置を変えたりすることにより、調節することが可能である。
【００２７】
上述したように、例えば、包持部１４、１５をシリコーン等の弾性を有する物質で形成することにより、ケーブル２と押圧部１６、１７、すなわち、転写テープ２６、２７との接触面を広げることができ、かつ、弾性による圧力も印加されることから、より着実にマーキングを行うことも可能である。
【００２８】
この動作の間の転写テープ２６Ａ、２７Ａについて図３（ｂ）を用いて説明する。転写テープ２６Ａ、２７Ａは、ケーブル２との摩擦により、ケーブル２が押圧部１６、１７から押し出される動作に伴って、転写剤が残っている部分が左側へと引っ張られる。この引っ張りにより、転写テープ回収リール２４は反時計回りに回転し、転写テープ回収リール２５は時計回りに回転して転写済のテープ２６Ｂ、２７Ｂを回収するとともに、転写テープ回収リール２４、２５に噛み合っている転写テープ供給リール２２が反時計回りに回転し、転写テープ回収リール２３が反時計回りに回転して、転写前のテープ２６Ａ、２７Ａが供給される。
【００２９】
歯止め２８、２９がある場合には、転写テープ供給リール２２、２３が逆回転することを防ぐことにより、転写剤をケーブル２へと転写した後の転写済テープ２６Ｂ、２７Ｂが、包持部１４、１５へと逆流するのを防止する。
【００３０】
このように、転写テープ回収リール２４、２５が転写テープ供給リール２２、２３と協働して動作することにより、マーキングした後の転写済テープ２６Ｂ、２７Ｂを転写テープ回収リール２４、２５が回収することが可能となる。
【００３１】
図４は、マーキングが終了した後の状態を示す図である。図３（ｂ）において、筐体１０を右方向に移動させ続けると、ケーブル２は、ケーブルマーキング装置１の外側に押し出される。このとき、バネ２０、２１の復元力にて、開閉部１８、１９の他端側は上下方向に移動し、押圧部１６、１７が閉じて、図１の状態へと戻る。
【００３２】
図５は、マーキングされたケーブルの一例を示す図である。ケーブル２には、図示のように、マーキングＭが施される。これにより、ケーブルの識別が容易になり、ケーブルの切断のし忘れ等のミスを少なくすることが可能となる。
【００３３】
以上のように、本実施形態によれば、開閉部１８、１９の把持操作と筐体１０の移動操作でケーブル２の外周面を一周するように広い範囲に亘りマーキングをすることが可能であるので、ユーザがケーブルのマーキングを目視することが可能であり、ケーブル等の付け替え、切断等をする際の目印を簡単に付与することが可能となる。上記に加え、ケーブル２の敷設時にマーキングをする必要が無いため、既に敷設されているケーブル等の付け替えや切断等の際のマーキングを容易に行うことが可能となる。広い範囲とは、例えば、３６０°亘る範囲であるが、厳密に３６０°である必要は無く、一部が欠けていてもよいが、本実施形態によれば、いずれの角度からケーブルを見た際にもマーキングＭが目視できる程度に転写テープを塗布することができる。
【００３４】
また、本実施形態では、筐体１０のサイズを小さくすることが可能であるので、狭い範囲に複数のケーブルが存在する等の状況においても、適切にマーキングを行うことが可能である。さらに、転写剤として様々な色を使用することが可能であるので、切断順序等、あるいは、切断しないケーブル等のマーキングを別々に行うことが可能であり、工事やメンテナンス時における事故を防ぐことも可能となる。さらにまた、本実施形態に係るケーブルマーキング装置では、ケーブル２に転写剤を転写できる程度の力で押圧部１６、１７が閉じられればよいため、ケーブルの切断等を起こす可能性を下げることも可能である。
【００３５】
従来の絶縁テープによれば、絶縁テープを予め切断して準備し、当該切断テープを作業者が手作業でケーブルへと貼り付けるという２ステップの作業が必要であったが、本実施形態によれば、このような２ステップの作業が不要となり、１ステップでマーキングすることが可能である。
【００３６】
以下、いくつかの変形例について説明する。
【００３７】
図６は、一変形例に係るケーブルマーキング装置１の概略を示す図である。この図６に示すように、開閉部は、必ずしも複数備えられている必要は無く、１つの開閉部１８を備えて、押圧部１６のみを移動させ、開閉部に接続されていない押圧部１７は固定にしてもよい。この場合、バネ２０のバネ係数を強くすることにより押圧部１６に係る圧力を調節することが可能である。
【００３８】
図７は、別の変形例に係るケーブルマーキング装置１の概略を示す図である。この図７に示すように、開閉部１８、１９の支点となる接続部１８Ａ、１９Ａは、支持部１２、１３に接続されていてもよい。この場合、支点となる接続部１８Ａ、１９Ａは、作用点となる押圧部１６、１７に近づくため、開閉部１８、１９の他端側により小さな力を印加して、押圧部１６、１７を閉じることが可能となる。
【００３９】
図８は、さらに別の変形例に係るケーブルマーキング装置１の概略を示す図である。本変形例では、開閉部１８、１９は、筐体１０の内部を貫通して押圧部１６、１７へと接続される。バネ２０、２１も筐体１０の内部にあり、力を加えていない状態において、押圧部１６、１７が開いた状態となっている。図８の接続部１８Ａ、１９Ａは、筐体１０の包持部１４、１５に対向する外周面に設けられる。
【００４０】
このように、開閉部１８、１９を操作していない状態では押圧部１６、１７が開いており、開閉部１８、１９の他端部に図８の矢印の方向に力を加えている間は押圧部１６、１７を閉じることもできる。この場合、ユーザは、押圧部１６、１７が開いている状態でケーブル２を押圧部１６、１７の間に配置し、その後に開閉部１８に力を加えることにより、ケーブル２への転写が行われる。この結果、前述した実施形態に係るケーブルマーキング装置１に比べて、ユーザがケーブル２への転写についての操作をより柔軟に行うことが可能となる。例えば、細いケーブルであれば、強めに圧力を掛けることにより、マーキングの精度を高めることが可能となる。
【００４１】
なお、図８においては、接続部１８Ａ、１９Ａは、筐体１０の側面部に備えられるものとしたが、これには限られない。例えば、筐体１０の内部において２つの開閉部１８、１９が交差するようにし、当該交差点を筐体１０の内部に固定することにより、支点とすることも可能である。バネ２０は、支点となる接続部１８Ａ、１９Ａとの位置関係により、ユーザが力を加えない状態において、開閉部１８、１９が開いているか、閉じているかが決定されるように調整される。
【００４２】
図９は、図８の変形例を示すケーブルマーキング装置１の概略を示す図である。この図９に示すように、支点である接続部１８Ａ、１９Ａと、作用点である押圧部１６、１７の間においてユーザが力を加えるようにしてもよい。この場合、接続部１８Ａ、１９Ａと、押圧部１６、１７との間に、支持部１２、１３に接続されたバネ２０、２１を備えていてもよい。このようにすることにより、２つの開閉部１８、１９を交差させることなく、図８に示すケーブルマーキング装置１と同様の効果を得ることが可能となる。
【００４３】
前述した全ての実施形態及び変形例においては、マーキング部材を転写テープとし、マーキング剤を転写テープからターゲットに塗布される転写剤であるとしたが、これらには限られない。筐体１０の内部のマーキング剤供給部内に液体が詰められ、押圧部１６、１７へと、当該液体をマーキング剤として供給する機構であってもよい。例えば、開閉部１８、１９が所定の位置以上に押圧された場合に、マーキング剤が包持部１４、１５に供給され、押圧部１６、１７において当該マーキング剤がケーブル２に塗布されるものであってもよい。
【００４４】
他の例としては、押圧部１６、１７に所定の値以上の圧力が加えられると、液体であるマーキング剤を供給する機構であってもよい。このようにすることにより、ユーザによりケーブル２が押圧部１６、１７に対して押圧されると、マーキング剤をケーブル２に塗布することが可能となる。
【００４５】
前述した全ての実施形態及び変形例において、マーキング部材、マーキング剤又はマーキング剤供給部等は、取り外し可能であってもよい。この場合、ケーブルマーキング装置１は、マーキング剤等を入れ替えることにより再利用することができる。また、上記の説明において、上下左右、時計回り等の方向を示す単語は、図面における説明のために用いられたものであり、絶対的な意味での方向を示すものではなく、ケーブルマーキング装置１、筐体１０等に対して相対的な意味での方向を示すものとして使用されている。
【００４６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で種々の省略、置き換え、変更を行うことができる。これら実施形態やその変形は、発明の範囲や要旨に含まれるとともに、特許請求の範囲に記載された発明とその均等の範囲に含まれる。また、当然のことながら、本発明の要旨の範囲内で、これらの実施の形態を部分的に適宜組み合わせることも可能である。
【符号の説明】
【００４７】
１：ケーブルマーキング装置、１０：筐体、１２、１３：支持部、１４、１５：包持部、１６、１７：押圧部、１８、１９：開閉部、２０、２１：バネ、２２、２３：転写テープ供給リール、２４、２５：転写テープ回収リール、２６、２７：転写テープ、２８、２９：歯止め
【図１】
2020004660.tif 000003
【図２】
2020004660.tif 000004
【図３】
2020004660.tif 000005
【図４】
2020004660.tif 000006
【図５】
2020004660.tif 000007
【図６】
2020004660.tif 000008
【図７】
2020004660.tif 000009
【図８】
2020004660.tif 000010
【図９】
2020004660.tif 000011